(57)【要約】【課題】ユーザがジョブどうしの関係性を容易に把握することのできる技術を提供する。【解決手段】ジョブの実行が指示されると、画像形成装置１の制御部１１は、実行を指示されたジョブに対してジョブＩＤとグループＩＤとを割り当てる。次いで、制御部１１は、そのジョブのジョブタイプを判定し、ジョブタイプに応じて子ジョブを派生させる。制御部１１は、派生させた子ジョブのそれぞれに対してジョブＩＤを割り当てるとともに、派生元のジョブ（親ジョブ）に割り当てたグループＩＤと同一のグループＩＤを子ジョブに割り当てる。そして、制御部１１は、派生元のジョブと派生されたジョブとのそれぞれのジョブ情報の親ジョブ識別子と子ジョブ識別子との項目に、それぞれの親ジョブのジョブＩＤと子ジョブのジョブＩＤを格納する。【選択図】図１
2008028719.tif 000002
【特許請求の範囲】
【請求項１】
記憶手段と、
ファクシミリ送信処理、スキャン処理及びプリント処理の少なくともいずれか一つの処理を含む処理をジョブとして実行するジョブ実行手段と、
前記ジョブ実行手段により実行されるジョブに対して、当該ジョブを識別するジョブ識別情報を割り当てるジョブ識別情報発行手段と、
前記ジョブから１以上のジョブを派生させるジョブ派生手段と、
前記ジョブ識別情報発行手段により割り当てられたジョブ識別情報を、前記ジョブ派生手段によって当該ジョブ識別情報の示すジョブから派生されたジョブのジョブ識別情報と、前記ジョブ派生手段によって当該ジョブ識別情報の示すジョブを派生したジョブのジョブ識別情報とに関連付けたジョブ情報を、前記記憶手段に記憶する記憶制御手段と、
前記記憶手段に記憶されたジョブ情報を出力する出力手段と
を備えることを特徴とする画像形成装置。
【請求項２】
前記ジョブ実行手段により実行されるジョブに対して当該ジョブが属するグループを識別するグループ識別情報を割り当てるグループ識別情報発行手段であって、前記ジョブ派生手段により前記ジョブから１以上のジョブが派生された場合に、派生元のジョブと派生されたジョブとに同一のグループ識別情報を割り当てるグループ識別情報発行手段を備え、
前記記憶制御手段は、前記ジョブ識別情報発行手段により発行されたジョブ識別情報を、前記ジョブ派生手段によって当該ジョブ識別情報の示すジョブから派生されたジョブのジョブ識別情報と、前記ジョブ派生手段によって当該ジョブ識別情報の示すジョブを派生したジョブのジョブ識別情報と、前記グループ識別情報とに関連付けたジョブ情報を、前記記憶手段に記憶し、
前記出力手段は、前記記憶手段に記憶されたジョブ管理情報であって、前記グループ識別情報が同一であるジョブ情報を関連付けて出力する
ことを特徴とする請求項１に記載の画像形成装置。
【請求項３】
コンピュータに、
ファクシミリ送信処理、スキャン処理及びプリント処理の少なくともいずれか一つの処理を含む処理をジョブとして実行するジョブ実行機能と、
前記ジョブ実行機能により実行されるジョブに対して、当該ジョブを識別するジョブ識別情報を割り当てるジョブ識別情報発行機能と、
前記ジョブから１以上のジョブを派生させるジョブ派生機能と、
前記ジョブ識別情報発行機能により割り当てられたジョブ識別情報を、前記ジョブ派生機能により当該ジョブ識別情報の示すジョブから派生されたジョブのジョブ識別情報と、前記ジョブ派生機能により当該ジョブ識別情報の示すジョブを派生したジョブのジョブ識別情報とに関連付けたジョブ情報を、記憶手段に記憶する記憶制御機能と、
前記記憶手段に記憶されたジョブ情報を出力する出力機能と
を実現させるプログラム。
【発明の詳細な説明】
【技術分野】
【０００１】
本発明は、画像形成装置及びプログラムに関する。
【背景技術】
【０００２】
近年、プリンタやコピー機、ファクシミリ等に加え、これらの機能を１つの装置で実行する複合機が多く普及してきている。複合機は、コピー機能とファクシミリ機能を有するものから、さらにプリント機能、スキャン機能等を有するものまで様々なものがある。そして、このような複合機に対しても、ジョブ情報の取得が要求されるようになっている。
【０００３】
特許文献１には、複合機からの取得を所望するジョブ情報について、その種類をジョブ属性として設定するとともに、ジョブ属性が取り得るジョブ属性値をそれぞれ設定しておき、管理装置等からのジョブ情報の取得要求があった際に、設定に従ってジョブ属性値を応答として返す方法が提案されている。特許文献１に記載の技術によれば、複合機が処理する様々な種類のジョブを一元的に管理することができるとともに、複合機に新たに機能が追加された場合であっても、ジョブ情報の取得を容易に行うことができる。
【特許文献１】特開２００３−１４０８４３号公報
【発明の開示】
【発明が解決しようとする課題】
【０００４】
ところで、近年、プリント機能、スキャン機能、ファクシミリ機能などを様々に組み合わせた複合ジョブ機能の実現が望まれている。具体的には、例えば「ダイレクトファクシミリ機能」と呼ばれる機能は、複合機にプリントジョブとして投げられたものが、自動的にユーザに設定された宛先電話番号に送信されるものである。このダイレクトファクシミリ機能で複数の宛先にファクシミリ送信される場合、まずそのデータは複合機に届く。複合機はダイレクトファクシミリジョブを生成し、ダイレクトファクシミリジョブからそれぞれの宛先に向けたファクシミリ送信ジョブが生成される。そのファクシミリ送信ジョブに対して、それぞれに成功／失敗などのステイタス情報を含む、詳細なジョブ情報が生成される。
【０００５】
このような場合、従来の複合機においては、ダイレクトファクシミリジョブから派生したファクシミリ送信ジョブそれぞれのジョブ情報はわかるが、ジョブ同士のお互いの関連性がわからないため、一回のダイレクトファクシミリジョブで、どの宛先のファクシミリ送信ジョブが成功してどの宛先のファクシミリ送信ジョブが失敗したかなどの情報を把握することができなかった。
本発明は上述した背景に鑑みてなされたものであり、ユーザがジョブどうしの関係性を容易に把握することのできる技術を提供することを目的とする。
【課題を解決するための手段】
【０００６】
本発明の好適な態様である画像形成装置は、記憶手段と、ファクシミリ送信処理、スキャン処理及びプリント処理の少なくともいずれか一つの処理を含む処理をジョブとして実行するジョブ実行手段と、前記ジョブ実行手段により実行されるジョブに対して、当該ジョブを識別するジョブ識別情報を割り当てるジョブ識別情報発行手段と、前記ジョブから１以上のジョブを派生させるジョブ派生手段と、前記ジョブ識別情報発行手段により割り当てられたジョブ識別情報を、前記ジョブ派生手段によって当該ジョブ識別情報の示すジョブから派生されたジョブのジョブ識別情報と、前記ジョブ派生手段によって当該ジョブ識別情報の示すジョブを派生したジョブのジョブ識別情報とに関連付けたジョブ情報を、前記記憶手段に記憶する記憶制御手段と、前記記憶手段に記憶されたジョブ情報を出力する出力手段とを備える。
この態様において、前記ジョブ実行手段により実行されるジョブに対して当該ジョブが属するグループを識別するグループ識別情報を割り当てるグループ識別情報発行手段であって、前記ジョブ派生手段により前記ジョブから１以上のジョブが派生された場合に、派生元のジョブと派生されたジョブとに同一のグループ識別情報を割り当てるグループ識別情報発行手段を備え、前記記憶制御手段は、前記ジョブ識別情報発行手段により発行されたジョブ識別情報を、前記ジョブ派生手段によって当該ジョブ識別情報の示すジョブから派生されたジョブのジョブ識別情報と、前記ジョブ派生手段によって当該ジョブ識別情報の示すジョブを派生したジョブのジョブ識別情報と、前記グループ識別情報とに関連付けたジョブ情報を、前記記憶手段に記憶し、前記出力手段は、前記記憶手段に記憶されたジョブ管理情報であって、前記グループ識別情報が同一であるジョブ情報を関連付けて出力してもよい。
【発明の効果】
【０００７】
請求項１に記載の発明によれば、請求項１に記載の構成を有していない場合と比較して、ユーザがジョブどうしの関係性を容易に把握することができるという効果がある。
請求項２に記載の発明によれば、同一のグループに属するジョブをユーザが容易に把握することができるという効果がある。
【発明を実施するための最良の形態】
【０００８】
＜Ａ：構成＞
図１は、この発明の一実施形態に係るシステムの構成を示したブロック図である。このシステムは、画像形成装置１とクライアント装置２とが、ＬＡＮ（Local Area Network）等のネットワーク３によって接続されて構成される。画像形成装置１は、スキャン機能やファクシミリ機能を備えた装置である。クライアント装置２は、画像形成装置１に記憶されている各種情報を、ネットワーク３を介して取得する機能を備えている。
【０００９】
画像形成装置１の制御部１１は、ＣＰＵ（Central Processing Unit）や、ＲＯＭ（Read Only Memory）、ＲＡＭ（Random Access Memory）を備え、ＲＯＭ又は記憶部１２に格納されたプログラムにしたがって画像形成装置１の制御を行う。記憶部１２は、ハードディスク等の記憶手段であり、画像形成装置１の制御やファクシミリの送受信に関するプログラムなどの各種プログラムが格納されている。
【００１０】
操作表示部１３は、タッチパネルとして機能する液晶ディスプレイを備えており、画像形成装置１の利用者はこの液晶ディスプレイに触れることで各種操作を行うことができる。画像読取部１４は、ＣＣＤ（Charge Coupled Device）等により構成される光学系部材（図示略）を備えており、プラテンガラス（図示略）に置かれた原稿の画像を光学的に読み取り、読み取った画像を表す画像データを生成する。画像形成部１６は、制御部１１から供給される画像データに基づいてトナー像を生成し、このトナー像をシートに転写して定着させることによってシートに画像を形成する。なお、本実施形態における「シート」は、いわゆる紙に限定されるものではなく、ＯＨＰシートのようなプラスチックや、その他の材質のシートを含む。通信部１５は、他の装置とのデータ授受を司るネットワークインタフェースである。
【００１１】
画像形成装置１は、ファクシミリ送信処理、スキャン処理、プリント処理などの各種の処理を「ジョブ」として実行する。また、画像形成装置１は、複数のジョブが組み合わされたジョブ（以下、「複合ジョブ」）を実行する機能も備えている。例えば、複合ジョブのひとつである「ダイレクトファクシミリジョブ」は、複数の宛先に対してファクシミリ送信を行う処理である。このダイレクトファクシミリジョブを行う場合には、画像形成装置１の制御部１１は、このダイレクトファクシミリジョブを、それぞれの宛先にファクシミリを送信する「ファクシミリ送信ジョブ」に分割し、それぞれの「ファクシミリ送信ジョブ」を順番に実行する。
また、画像形成装置１は、ジョブの実行に失敗した場合に、リトライを行う機能も備えている。ジョブの実行に失敗した場合には、画像形成装置１は、実行に失敗したジョブと同一の処理を実行するためのジョブを新たに生成する。
また、画像形成装置１は、複数のジョブを一括して実行する機能も備えている。具体的には、画像形成装置１のユーザは、操作表示部１３を操作して、スキャンジョブ、プリントジョブ、メール送信ジョブなどの複数のジョブの実行を一括して指示することができる。画像形成装置１は、一括して指示された複数のジョブの集まりを「複合ジョブ」として扱う。
【００１２】
以下の説明においては、説明の便宜上、複合ジョブを複数のジョブに分割することや、ジョブのリトライに失敗した場合にそのジョブと同じ内容の処理のジョブを生成することを、「ジョブを派生させる」という。また、以下の説明では、派生されたジョブを、元のジョブに対する「子ジョブ」と呼び、逆に、元のジョブを、派生されたジョブに対する「親ジョブ」と呼ぶ。
また、あるジョブについて、そのジョブとそのジョブから派生されたジョブの集まりを「ジョブグループ」と呼ぶ。
【００１３】
記憶部１２は、ジョブ管理テーブル記憶領域１２ａを備えている。ジョブ管理テーブル記憶領域１２ａには、ジョブ情報を管理するためのジョブ管理テーブルが記憶されている。
図２は、ジョブ管理テーブルの内容の一例を示す図である。このテーブルに記憶されるジョブ情報の各々は、「ジョブＩＤ」と「ジョブタイプ」と「ジョブグループ識別子」と「親ジョブ識別子」と「子ジョブ識別子」と「ステイタス」との各項目を有している。これらの項目のうち、「ジョブＩＤ」の項目には、ジョブに割り当てられた識別情報が記憶される。「ジョブタイプ」の項目には、「ダイレクトＦＡＸ」や「ＦＡＸ」などのジョブのタイプ（種別）を示す情報が記憶される。「ジョブグループ識別子」の項目には、ジョブグループを識別する識別情報が記憶される。「親ジョブ識別子」の項目には、ジョブＩＤの示すジョブを派生させたジョブ（親ジョブ）のジョブＩＤが記憶される。親ジョブがない場合にはこの項目には「０」が記憶される。「子ジョブ識別子」の項目には、ジョブＩＤの示すジョブが派生させたジョブ（子ジョブ）のジョブＩＤが記憶される。子ジョブがない場合にはこの項目には「０」が記憶される。「ステイタス」の項目には、「異常終了」や「正常終了」といったジョブの処理状況や処理結果を示す情報が記憶される。
【００１４】
図２に示す例においては、ジョブＩＤが「１」のジョブからジョブＩＤが「２」〜「６」のジョブが派生された場合を示している。図示のように、ジョブＩＤが「１」のジョブ情報の「親ジョブ識別子」には「０」が記憶され、「子ジョブ識別子」の項目には「２，３，４，５，６」が記憶される。一方、ジョブＩＤが「２」〜「６」のジョブ情報のそれぞれの「親ジョブ識別子」には「１」が記憶され、「子ジョブ識別子」の項目には「０」が記憶される。このように、この実施形態においては、ジョブが次々と派生していく親子関係が、この親ジョブ識別子、子ジョブ識別子によって表現される。
【００１５】
＜Ｂ：動作＞
＜Ｂ−１：ジョブ実行動作＞
次に、画像形成装置１が行う処理について、図３のフローチャートを用いて説明する。
ジョブの実行が指示されると、画像形成装置１の制御部１１は、まず、ジョブＩＤが割り当てられているか否かを判定する（ステップＳ１）。ジョブＩＤが割り当てられていないと判定された場合には（ステップＳ１；ＮＯ）、制御部１１は、そのジョブに対して、ジョブＩＤとグループＩＤとを割り当て、割り当てたジョブＩＤとグループＩＤとを有するジョブ情報をジョブ管理テーブル記憶領域１２ａのジョブ管理テーブルに記憶する。（ステップＳ２）。次いで、そのジョブのジョブタイプを判定して、子ジョブを派生させるか否かを判定する（ステップＳ３）。子ジョブを派生させると判定された場合には（ステップＳ３；ＹＥＳ）、制御部１１は、子ジョブを生成し、派生させた子ジョブのそれぞれに対してジョブＩＤを割り当て、割り当てたジョブＩＤを有するジョブ情報を生成してジョブ管理テーブルに記憶する（ステップＳ４）。また、制御部１１は、親ジョブに対してステップＳ２で割り当てたグループＩＤと同一のグループＩＤを、子ジョブのそれぞれの「グループＩＤ」の項目に設定する。次いで、制御部１１は、親ジョブと子ジョブとのそれぞれのジョブ情報の「親ジョブ識別子」と「子ジョブ識別子」との項目に、それぞれの親ジョブのジョブＩＤと子ジョブのジョブＩＤを設定する（ステップＳ５）。
【００１６】
一方、ステップＳ３において、子ジョブを派生させない場合には（ステップＳ３；ＮＯ）、制御部１１は、ステップＳ４，Ｓ５の処理を行わずに、ステップＳ６の処理に進む。また、ステップＳ１において、指示されたジョブにジョブＩＤが既に割り当てられている場合には（ステップＳ１；ＹＥＳ）、制御部１１は、ステップＳ２〜ステップＳ５の処理を行わずに、ステップＳ６の処理に進む。
【００１７】
次いで、制御部１１は、ジョブを実行する（ステップＳ６）。なお、このとき、ジョブが例えば「ダイレクトファクシミリジョブ」など、そのジョブ自体がファクシミリ送信処理やスキャン処理を実行する必要がないジョブの場合には、ステップＳ６においては処理を実行する必要はない。
【００１８】
ステップＳ６の処理を終えると、制御部１１は、ジョブ処理が正常に完了したか否かを判定する（ステップＳ７）。ジョブ処理が正常終了した場合には（ステップＳ７；ＯＫ）、制御部１１は、そのまま処理を終了する。なお、「ダイレクトファクシミリジョブ」などの、そのジョブ自体がジョブを実行する必要がないジョブの場合には、制御部１１は、ステップＳ７において正常終了したものとみなして処理を続行する。一方、ジョブ処理が異常終了であった場合には（ステップＳ７；ＮＧ）、制御部１１は、リトライするか否かを判定する（ステップＳ８）。この判定は、例えば、制御部１１が、失敗した回数をカウントしておき、失敗回数が２回未満である場合にはリトライを行い、逆に失敗回数が２回以上である場合にはリトライを行わないようにしてもよい。リトライを行うと判定された場合には（ステップＳ８；ＹＥＳ）、制御部１１は、ステップＳ４の処理に戻って、子ジョブを派生させて派生させた子ジョブについてジョブ実行処理を行う（ステップＳ４，ステップＳ５）。
【００１９】
＜Ｂ−２：ジョブ実行動作例１＞
次に、画像形成装置１の具体的な動作の一例について説明する。
この動作例においては、画像形成装置１のユーザが、「Ａ」、「Ｂ」、「Ｃ」の三つの宛先に対してダイレクトファクシミリ送信を行う場合の動作例について説明する。ダイレクトファクシミリ送信とは、ユーザが複合機に原稿のプリント指示を行うと、複合機がその原稿を指定された宛先に向かって自動的にファクシミリ送信するというものである。
【００２０】
また、以下の動作例においては、宛先「Ａ」のファクシミリ送信ジョブは１回失敗し、また、宛先「Ｃ」のファクシミリ送信ジョブを２回失敗する場合の動作について説明する。また、この動作例においては、画像形成装置１の制御部１１は、２回以上リトライに失敗した場合に、処理を終了するものとする。
【００２１】
ユーザは、パーソナルコンピュータなどのコンピュータ装置の操作部を操作して、宛先電話番号を設定し、ダイレクトファクシミリ送信を指示する。コンピュータ装置の操作部は、操作に応じた操作信号を制御部１１に出力し、制御部１１は、操作表示部１３から出力される信号に応じて、ダイレクトファクシミリを行う旨の指示情報を、ネットワーク３を介して、画像形成装置１に送信する。
【００２２】
画像形成装置１の制御部１１は、図３に示したフローチャートのステップＳ１→Ｓ２→Ｓ３の処理を実行する。まず、ステップＳ１において、制御部１１は、ダイレクトファクシミリジョブを生成し、ジョブＩＤとして「１」を割り当てる。次に、制御部１１は、ステップＳ４の処理、すなわち、宛先「Ａ」のファクシミリ送信ジョブ、宛先が「Ｂ」のファクシミリ送信ジョブ、宛先が「Ｃ」のファクシミリ送信ジョブの３つのジョブをダイレクトファクシミリジョブから派生させ、それぞれのジョブに対してジョブＩＤを割り当て、それぞれのジョブＩＤを有するジョブ情報をジョブ管理テーブルに登録する。そのとき、制御部１１は、親ジョブ識別子の項目と子ジョブ識別子の項目に、それぞれの親ジョブのジョブＩＤと子ジョブのジョブＩＤとを設定する。
【００２３】
次いで、制御部１１は、３つの子ジョブのそれぞれについて、図３に示す処理を実行する。
まず、制御部１１は、宛先「Ａ」にファクシミリを送信するジョブ（以下、「ジョブＪ２」という）を実行する。制御部１１は、ジョブＪ２について、図３のステップＳ１→Ｓ６→Ｓ７の処理を実行する。ステップＳ６においてジョブＪ２の実行に失敗した場合には、ステップＳ７の判定結果が「ＮＧ」となり、制御部１１は、ステップＳ８に進む。この段階においては、ジョブＪ２の失敗回数は１回であるから、ステップＳ８の判定結果は「ＹＥＳ」となり、ステップＳ４の処理に戻って、子ジョブを派生させる。
このようにそれぞれの処理について図３に示す処理を行うことにより、ジョブのそれぞれについてジョブ管理テーブルにジョブ情報が生成される。その結果、それらのジョブ情報の各フィールドの値は、図２に例示するものとなる。
【００２４】
＜Ｂ−３：ジョブ実行動作例２＞
次に、画像形成装置１の他の具体的な動作の一例について説明する。
この動作例においては、画像形成装置１のユーザが、操作表示部１３を操作して、原稿をスキャンするとともに原稿をプリントアウトし、また、スキャンして生成された画像データを設定された電子メールアドレスに電子メールで送信する動作について説明する。
ユーザが画像形成装置１の操作表示部１３を操作して、スキャンジョブ、プリントジョブ、メール送信ジョブの実行を一括して指示すると、画像形成装置１の制御部１１は、図３のステップＳ１→Ｓ２→Ｓ３→Ｓ４→Ｓ５の処理を行い、指示されたジョブを「スキャンジョブ」、「プリントジョブ」、「メール送信ジョブ」に分割して、子ジョブを派生させる。
図４は、この動作例におけるジョブ管理テーブルの内容の一例を示す図である。図示のように、「ジョブグループ識別子」の項目には、同一のグループＩＤが設定される。
【００２５】
このように、制御部１１が、一括して実行が処理された複数のジョブに対して、同一のグループＩＤを割り当てるから、一連の処理としてのジョブの状態をジョブの固まりとして管理することができる。
【００２６】
＜Ｂ−４：ジョブ情報出力動作＞
次に、ジョブ情報の出力動作について説明する。ユーザは、クライアント装置２の操作部を操作して、ジョブ情報を画像形成装置１から取得する旨を指示する。クライアント装置２は、操作された内容に応じて、ジョブ情報を取得する旨を示す情報（以下、「ＧＥＴ要求」という）を、ネットワーク３を介して画像形成装置１に送信する。なお、このとき、クライアント装置２は、操作された内容に応じて、ジョブ情報以外にも、トレイ情報や障害の状態を示す情報も取得することができる。
【００２７】
画像形成装置１の制御部１１は、通信部１５を介してＧＥＴ要求を受信したことを検知すると、ＧＥＴ要求の内容に応じたジョブ情報を含む応答情報（以下「ＧＥＴ応答」という）を、クライアント装置２に送信する。
なお、このとき出力（送信）するジョブ情報は、ジョブ管理テーブルに記憶されたジョブ情報の一部であってもよく、全部であってもよい。制御部１１は、ＧＥＴ要求の内容に従ってジョブ情報の全部又は一部を出力すればよい。
具体的には、例えば、グループＩＤが「１」のジョブ情報を取得する旨のＧＥＴ要求を受信した場合には、制御部１１は、グループＩＤが「１」のジョブ情報をジョブ管理テーブルから読み出し、グループＩＤが同一であるこれらのジョブ情報を関連付けてＧＥＴ応答としてクライアント装置２に送信する。クライアント装置２は、受信したジョブ情報を、液晶ディスプレイなどの表示装置に表示させたり、ジョブ情報の内容を表す画像をプリントするなどして、受信したジョブ情報を出力する。
【００２８】
図５はジョブ情報の出力態様の一例を示す図である。図４に示す例においては、クライアント装置２が液晶ディスプレイ等の表示装置にジョブ情報示す内容を表示した例を図示している。このように、ユーザは、クライアント装置２を操作して、受信したＧＥＴ応答に含まれるジョブ情報を確認することで、グループＩＤが「１」のジョブ情報を確認することができる。
【００２９】
＜Ｃ：変形例＞
以上、本発明の実施形態について説明したが、本発明は上述した実施形態に限定されることなく、他の様々な形態で実施可能である。以下にその一例を示す。
（１）上述した実施形態では、「ジョブＩＤ」、「ジョブタイプ」、「ジョブグループ識別子」、「親ジョブ識別子」、「子ジョブ識別子」、「ステイタス」の各項目を有するジョブ情報を用いた。ジョブ情報に含まれる項目はこれらに限定されるものではなく、例えば、ジョブの名前、送信枚数（又は印刷枚数）などを含めるようにしてもよく、ジョブに関わる様々な情報を含めることが可能である。また、「ジョブグループ識別子」の項目を含まなくてもよく、要は、「ジョブＩＤ」、「親ジョブ識別子」及び「子ジョブ識別子」の項目を含むジョブ情報を用いればよい。
【００３０】
なお、上述した実施形態においては、ジョブどうしの関係性を示す情報として、親ジョブ識別子、子ジョブ識別子、グループ識別子を用いた。これ以外でも、関係性が分かる属性であれば、それを利用してもよい。
【００３１】
（２）上述した実施形態では、画像形成装置１の制御部１１は、ネットワーク３を介してジョブ情報をクライアント装置２に送信することによって、ジョブ情報を出力した。ジョブ情報の出力態様はこれに限らず、例えば、画像形成装置１の操作表示部１３にジョブ情報の示す内容を表示してもよく、また、ジョブ情報の内容をプリントアウトしてもよい。
また、上述した実施形態では、画像形成装置１の制御部１１は、ネットワーク３を介してジョブ情報の出力指示をクライアント装置２から受信することによって、出力指示の入力を受け付けるようにした。出力指示の入力の態様はこれに限らず、例えば、画像形成装置１の操作部からの出力指示の入力を受け付けてもよい。
【００３２】
（３）上述した実施形態では、ジョブとして、ダイレクトファクシミリ送信処理、ファクシミリ送信処理、スキャン処理及びプリント処理を挙げた。ジョブはこれに限らず、例えば、インターネットを介してデータを送信するいわゆるインターネットファクシミリ処理であってもよい。また、画像データを電子メールに添付して送信する処理であってもよい。ジョブは、ファクシミリ送信処理、スキャン処理及びプリント処理の少なくともいずれかひとつの処理を含む処理であることが好ましい。
【００３３】
（４）上述した実施形態においては、ジョブ管理テーブルに記憶するジョブ情報の「子ジョブ識別子」の項目には、そのジョブから派生させた全ての子ジョブのジョブＩＤをいれるようにした。これに代えて、図６に示すように、最後に派生させた子ジョブのジョブＩＤのみを「子ジョブ識別子」の項目に設定するようにしてもよい。
また、図７に示すように、そのジョブの直下の子ジョブ（そのジョブが直接派生させたジョブ）のジョブＩＤのみを「子ジョブ識別子」の項目に設定するようにしてもよい。
このように、ジョブＩＤを親ジョブ識別子と子ジョブ識別子と関連付けて記憶する態様は様々あり、いずれの方法を採用するかは設計等に応じて変更可能である。
【００３４】
（５）上述した実施形態における画像形成装置１の制御部１１によって実行されるプログラムを、磁気テープ、磁気ディスク、フレキシブルディスク、光記録媒体、光磁気記録媒体、ＣＤ（Compact Disk）−ＲＯＭ、ＤＶＤ（Digital Versatile Disk）、ＲＡＭなどの記録媒体に格納して提供することも可能である。また、インターネットのようなネットワーク経由で画像形成装置１にダウンロードさせることも可能である。
【図面の簡単な説明】
【００３５】
【図１】システムの全体構成を示すブロック図である。
【図２】ジョブ管理テーブルの内容の一例を示す図である。
【図３】画像形成装置が行うジョブ実行処理の流れを示すフローチャートである。
【図４】ジョブ管理テーブルの内容の一例を示す図である。
【図５】クライアント装置に表示される画面の一例を示す図である。
【図６】ジョブ管理テーブルの内容の一例を示す図である。
【図７】ジョブ管理テーブルの内容の一例を示す図である。
【符号の説明】
【００３６】
１…画像形成装置、２…クライアント装置、３…ネットワーク、１１…制御部、１２…記憶部、１３…操作表示部、１４…画像読取部、１５…通信部、１６…画像形成部。
【図１】
2008028719.tif 000003
【図２】
2008028719.tif 000004
【図３】
2008028719.tif 000005
【図４】
2008028719.tif 000006
【図５】
2008028719.tif 000007
【図６】
2008028719.tif 000008
【図７】
2008028719.tif 000009